(57)【特許請求の範囲】
【請求項１】
２つの信号記録レイヤを有するデュアルレイヤディスクあるいは１つの信号記録レイヤのみ有するシングルレイヤディスクより記録データを読み取って再生するデジタルディスクプレーヤにおいて、
フォーカスサーチ時に発生するフォーカスエラー信号の振幅に基づいてディスクがデュアルレイヤディスクであるかシングルレイヤディスクであるかを判断することを特徴とするディスク識別方法。
【請求項２】
２つの信号記録レイヤを有するデュアルレイヤディスクあるいは１つの信号記録レイヤのみ有するシングルレイヤディスクより記録データを読み取って再生するデジタルディスクプレーヤにおいて、
フォーカスサーチ時に発生するフォーカスエラー信号の振幅を検出する振幅検出部、
該振幅に基づいてディスクがデュアルレイヤディスクであるかシングルレイヤディスクであるかを判別するディスク種別判別部、
を備えたことを特徴とするデジタルディスクプレーヤ。
【発明の詳細な説明】
【０００１】
【発明の属する技術分野】
本発明はデジタルディスクプレーヤ及びそのディスク識別方法に係わり、特に、２つの信号記録レイヤを有するデュアルレイヤディスクあるいは１つの信号記録レイヤのみ有するシングルレイヤディスクより記録データを読み取って再生するデジタルディスクプレーヤ及びそのディスク識別方法に関する。
【０００２】
【従来の技術】
デジタルビデオディスクプレーヤ（ＤＶＤプレーヤ）のディスクとしては、１つの信号記録レイヤのみ有するシングルレイヤディスクと２つの信号記録レイヤを有するデュアルレイヤディスクがある。図４（ａ）はシングルレイヤディスクの構造図であり、ＲＬは信号記録レイヤ、ＳＲは透明なプラスチック層（基盤）、ＰＬは信号レイヤを保護する保護レイヤである。図４（ｂ）はデュアルレイヤディスクの構造図であり、それぞれ信号記録レイヤＲＬ１，ＲＬ２および透明なプラスチック層（基盤）ＳＲ１，ＳＲ２を有する２枚のディスクがスペースレイヤＳＰＬを介して張り合わされたデュアル構造を有している。尚、ＬＳは対物レンズである。
従来のＣＤ等のディスクでは、デュアルレイヤディスクは存在しなかったため、シングルレイヤ（ＣＤ等）のディスクのみの再生技術でしかなかった。
【０００３】
【発明が解決しようとする課題】
両立性の観点から、ＤＶＤプレーヤがシングルレイヤディスク、デュアルレイヤディスクいずれも再生できるようにできれば、ユーザにとって便利である。しかし、両方のディスクを再生できるようにするためには、その規格が相違するため、プレーヤに装填されたディスクがシングルレイヤディスクであるか、デュアルレイヤディスクであるかを識別する必要がある。
以上から本発明の目的は、プレーヤに装填されたディスクがシングルレイヤディスクであるか、デュアルレイヤディスクであるかを識別できるデジタルディスクプレーヤ及びそのディスク識別方法を提供することである。
【０００４】
【課題を解決するための手段】
上記目的は、本発明によれば、フォーカスサーチする手段、フォーカスサーチ時に発生するフォーカスエラー信号の振幅に基づいてディスクがデュアルレイヤディスクであるかシングルレイヤディスクであるかを判断する手段により達成される。
【０００５】
【発明の実施の形態】
（Ａ）本発明の概略
ＤＶＤプレーヤにおいては、レ−ザビ−ムをディスクの信号記録面に収束させるためにフォ−カスサーボ制御装置が設けられている。フォーカスサーボ制御装置は、対物レンズ位置と合焦点位置（対物レンズの焦点が信号記録面に一致するときの該対物レンズの位置）間の距離に応じた電圧値を有するフォーカスエラー信号を発生し、該エラー信号が零となるように対物レンズのディスクに対する位置を制御する。
フォーカスサーボ制御装置がサーボ制御可能となるためには、対物レンズとディスク信号面間の距離がある程度焦点深度に近ずいていなければならない。そこで、ディスクがプレーヤに装着された時、対物レンズを動かしてフォーカスサーボが可能となる位置まで移動させる必要がある。このため、１／２Ｈｚ程度の三角波信号であるフォーカスサ−チ信号を発生して対物レンズをフォーカスサーボ可能位置まで、例えば合焦点位置まで移動させ（フォーカスサ−チ制御）、しかる後、フォーカスエラー信号によりフォーカスサーボ制御を行うようになっている。
【０００６】
かかるフォーカスサーチ時、シングルレイヤディスクであれば、図１（ａ）に示すようにフォーカスサーチ信号ＦＳの半周期Ａの間に観測できるフォーカスエラー信号ＦＥのＳカーブは１個である。しかし、デュアルレイヤディスクの場合には、図１（ｂ）に示すように２つのＳカーブを観測できる。従って、本発明の第１のディスク識別方法においては、フォーカスサーチ時に観測できるＳカーブが１つの場合、シングルレイヤディスクと判定し、Ｓカーブが２つの場合、デュアルレイヤディスクと判定する。
【０００７】
又、シングルレイヤディスクとデュアルレイヤディスクとでは反射率が異なり、シングルレイヤディスクの反射率は７０％、デュアルレイヤディスクの反射率は２５〜４５％である。このため、シングルレイヤディスクのフォーカスサーチ時に検出されるＳカーブの振幅Ｐ１は、デュアルレイヤディスクのフォーカスサーチ時に検出されるＳカーブの振幅Ｐ２より大きい。従って、本発明の第２のディスク識別方法においては、フォーカスサーチ時に観測されるＳカーブの振幅が大きい場合はシングルレイヤディスクと判定し、Ｓカーブの振幅が小さい場合はデュアルレイヤディスクと判定する。
【０００８】
（Ｂ）本発明の第１実施例
図１は本発明の第１実施例にかかわるＤＶＤプレーヤの要部構成図である。
１１はディスクで、シングルレイヤディスクあるいはデュアルレイヤディスクである。１２は光学ピックアップであり、対物レンズ１２ａや対物レンズの位置を移動させるフォーカスアクチュエ−タ１２ｂ、フォトダイオ−ド（図示せず）等を有している。１３はＲＦアンプ、１４は光学ピックアップから出力される信号よりフォーカスエラー信号ＦＥを出力するエラー信号生成部、１５は後述するサーボ係数に基づいてフォーカスサーボゲインを制御するゲイン制御部（アッテネータ、あるいはゲイン可変アンプ）、１６は位相補償回路、１７はフォーカスサ−チ信号ＦＳを発生するフォーカスサ−チ信号発生回路、１８はフォーカスサ−チ信号ＦＳとフォーカスエラー信号ＦＥを選択して出力する信号切換回路、１９はフォーカスエラー信号ＦＥまたはフォーカスサ−チ信号ＦＳに基づいてフォーカスアクチュエ−タ１２ｂを駆動して対物レンズ１２ａとディスクの信号記録面間の距離を制御するアクチュエ−タドライバ、２０はスレッドモータ、２１はスピンドルモータである。
【０００９】
２２はフォーカスサ−チ制御時、フォーカスサ−チ信号ＦＳにより対物レンズ１２ａが信号記録レイヤの合焦点位置近傍を通過しているときのフォーカスエラー信号ＦＥのレベル（ピ−ク値）を検出するエラー信号レベル検出回路、２３は検出されたフォーカスエラー信号レベルをデジタル値に変換するＡＤ変換器（ＡＤＣ）、２４はフォーカスサーボ制御やサーボゲイン係数の決定制御、ディスク識別制御等を実行するシステムコントローラである。
２５はフォーカスサ−チ制御時にエラー信号生成回路１４から出力されるフォーカスエラー信号ＦＥのレベルＬｆと設定レベルＬｓを比較し、Ｌｆ＞Ｌｓのときハイレベルの信号を出力する比較回路、２６は比較回路２５より出力されるハイレベルの信号数を計数するカウンタである。
２７は信号処理部であり、ＲＦアンプから入力された信号に基づいてＭＰＥＧデータを復調すると共に、誤り訂正処理、ＭＰＥＧビデオデータとＭＰＥＧオーディオデータの分離処理、アドレス情報の抽出処理等のデジタル信号処理を行うもの、２８はＭＰＥＧビデオデータより画像データを復号するＭＰＥＧビデオデコーダ、２９はＭＰＥＧオーディオデータよりＰＣＭオーディオデータを復号するＭＰＥＧオーディオデコーダである。
【００１０】
ディスク１１がプレーヤに装填されると、システムコントローラ２４はフォーカスサーチ信号発生回路１７を制御して、図１（ａ），（ｂ）に示すように（１／２）Ｈｚの三角波であるフォーカスサ−チ信号ＦＳを発生し、このフォーカスサ−チ信号ＦＳにより対物レンズ１２ａをディスク面に対して接近、後退させる。エラー信号レベル検出回路２２は、対物レンズ１２ａが信号記録レイヤの合焦点位置近傍を通過している時のフォーカスエラー信号ＦＥのピ−クレベルＰ１あるいはＰ２（図１（ａ），（ｂ）参照）を検出し、システムコントローラ２４はこの検出されたピ−クレベルＰ１あるいはＰ２に基づいて、サーボループのゲインが最適値になるようにサーボゲイン係数ｇを決定し、ゲイン制御部１５に設定する。
【００１１】
又、ゲイン決定制御と並行して、比較回路２５はフォーカスエラー信号レベルＬｆと設定レベルＬｓを比較し、Ｌｆ＞Ｌｓとなるとハイレベルの信号を出力し、カウンタ２６はハイレベルの信号数をカウントする。ディスク１１がシングルレイヤディスクの場合、図１（ａ）に示すように、フォーカスサーチ信号ＦＳの半周期Ａの間に１回だけＬｆ＞Ｌｓとなるからカウンタ２６のカウント値は１となる。一方、ディスクがデュアルレイヤディスクの場合、図１（ｂ）に示すように、フォーカスサーチ信号ＦＳの半周期Ａの間に２回、Ｌｆ＞Ｌｓとなるからカウンタ２６のカウント値は２となる。システムコントローラ２４は、フォーカスサーチ信号ＦＳの半周期Ａの間にカウンタ２６により計数された値を読み取り、計数値が１であればディスクはシングルレイヤディスク、計数値が２であればデュアルレイヤディスクであると判定して記憶し、以後、ディスクの種別に関係する制御を行う。
【００１２】
以上のゲイン制御、ディスク識別制御が終了した後、対物レンズ１２ａはフォーカスサーチ信号ＦＳにより更に移動し、フォーカスエラー信号ＦＥが零なった時、システムコントローラ２４は信号切換回路１８を制御してフォーカスサ−チ信号ＦＳに代わってフォーカスエラー信号ＦＥをアクチュエータドライバ１９に入力する。これにより、以後フォーカスサーボ制御が行われる。
【００１３】
（Ｃ）第２実施例
図３は本発明の第２実施例にかかわるＤＶＤプレーヤの要部構成図であり、図２の第１実施例と同一部分には同一符号を付している。第２実施例において第１実施例と異なる点は、第１実施例における比較回路２５及びカウンタ２６の代わりに、フォーカスエラー信号ＦＥのピーク値に基づいてディスクの種別を識別するシングル／デュアル識別部３０を設けた点である。
【００１４】
図１で説明したように、シングルレイヤディスクとデュアルレイヤディスクとでは反射率が異なり、シングルレイヤディスクの反射率は７０％、デュアルレイヤディスクの反射率は２５〜４５％である。このため、シングルレイヤディスクのフォーカスサーチ時に検出されるＳカーブの振幅Ｐ１は、デュアルレイヤディスクのフォーカスサーチ時に検出されるＳカーブの振幅Ｐ２より大きい。そこで、シングル／デュアル識別部３０はフォーカスサーチ時にエラー信号レベル検出回路２２により検出されたＳカーブの振幅値と設定レベルＬを比較し、振幅値が設定レベルＬ以上の場合にはディスク１１はシングルレイヤディスクであると判定し、設定レベル以下の場合にはデュアルレイヤディスクであると判定し、判定結果をシステムコントローラ２４に入力する。システムコントローラ２４はこのディスク識別情報を記憶し、ディスクの種別に関係する制御を行う。
この第２実施例によれば、第１実施例のようにフォーカスサーチ時に対物レンズを大きく移動させる必要がなく、最初のＳカーブ時にサーボをオンして良いため、サーチ時間を短縮できる。
【００１５】
以上第２実施例ではシングル／デュアル識別部３０を設けてディスクの種別を判定したが、システムコントローラ２４がエラー信号レベル検出回路２２より入力される振幅値に基づいてサーボゲイン係数ｇを決定すると同時に種別を識別するように構成することもできる。
以上、本発明を実施例により説明したが、本発明は請求の範囲に記載した本発明の主旨に従い種々の変形が可能であり、本発明はこれらを排除するものではない。
【００１７】
【発明の効果】
本発明によれば、フォーカスサーチ時に発生するフォーカスエラー信号の振幅に基づいてディスクがデュアルレイヤディスクであるかシングルレイヤディスクであるかを判断するように構成したから、簡単な構成でディスクの種別を識別でき、シングルレイヤディスクであってもデュアルレイヤディスクであっても再生が可能になる。又、フォーカスサーチと並行してディスクの種別を識別するため、再生開始までの時間を短縮できる。更に、フォーカスサーチ時に対物レンズを大きく移動させる必要がないため、サーチ時間を短縮することができる。
【図面の簡単な説明】
【図１】本発明の概略説明図である。
【図２】本発明の第１実施例のＤＶＤプレーヤの要部構成図である。
【図３】本発明の第２実施例のＤＶＤプレーヤの要部構成図である。
【図４】ディスク構造説明図である。
【符号の説明】
１１・・ディスク
１４・・エラー信号生成部
１７・・フォーカスサーチ信号発生回路
２２・・エラー信号レベル検出回路
２４・・システムコントローラ
２５・・比較回路
２６・・カウンタ
３０・・シングル／デュアル識別部
【図１】
0003556394.tif 000002
【図２】
0003556394.tif 000003
【図３】
0003556394.tif 000004
【図４】
0003556394.tif 000005